(57)【要約】【目的】自動２輪車の同乗者が子供等、長時間ライダー２と一体化しにくい場合でも、ライダー２と密着を維持できるようにする。【構成】ライダー２のライダースーツ４背面と同乗者３の同乗者スーツ５における上半身前面にそれぞれ面ファスナーを設け、同乗者３がライダー２の背面へ密着すると、ライダースーツ４と同乗者スーツ５が面ファスナーにより係合一体化する。また、同乗者スーツ５から出た腰ベルト６の先端にある連結部材７をライダースーツ４の腰部左右に設けた連結部材８へ係合して、後方への移動を阻止し、ライダースーツ４と同乗者スーツ５の分離を阻止する。さらに、ライダースーツ４の肩部にはネット固定用フック１０を設け、ネットを係止できるようにし、ライダースーツ４にの腰部左右にはタンデムグリップ１１を設けて同乗者３が握るようにする。【選択図】  図１
2005036372.tif 000002
【特許請求の範囲】
【請求項１】
ライダー用の前席と同乗者用の跨座式後席を備えた車両における同乗者を支持するための装置において、前記ライダーと同乗者はそれぞれライーダー用装具と同乗者用装具を着用するとともに、ライーダー用装具の背面に同乗者用装具の上半身部分前面を密着させて支持するための上半身支持手段を備えたことを特徴とする同乗者支持装置。
【請求項２】
前記上半身支持手段は、ライーダー用装具の背面に設けられた雌雄いずれか一方の面ファスナーと、同乗者用装具の上半身部分前面に設けられたいずれか他方の面ファスナーとを備えることを特徴とする請求項１の同乗者支持装置。
【請求項３】
前記ライーダー用装具と同乗者用装具の各腰部をベルト部材で連結したことを特徴とする請求項２の同乗者支持装置。
【請求項４】
前記同乗者の少なくとも頭部を包む頭部支持部材を設け、その両端を前記ライーダー用装具と同乗者用装具に連結したことを特徴とする請求項１の同乗者支持装置。
【請求項５】
前記頭部支持部材はネット状をなし、前記ライーダー用装具又は同乗者用装具のいずれか一方の背中に対して、予め一端が固定的に取付けられ、他端が係脱自在に取付けられていることを特徴とする請求項４の同乗者支持装置。
【請求項６】
前記上半身支持手段は、前記同乗者用装具の腕部に設けた面ファスナーを備え、前記ライダー用装具の腰部側面を含む部分に設けられているいずれか他方の面ファスナーと係脱自在であることを特徴とする請求項２の同乗者支持装置。
【請求項７】
ライダーの後方へ密接して載置された物を支持するための支持装置において、ライダーが着用するライダー用装具の背面へ雌雄いずれか一方の面ファスナーを設けるとともに、前記載置される物に取付けられる載置物側支持部材にいずれか他方の面ファスナーを設け、この載置物側支持部材をライダー用装具の背面へ面ファスナーにより係脱自在に連結したことを特徴とする載置物支持装置。
【発明の詳細な説明】
【技術分野】
【０００１】
この発明は、自動２輪車等の跨座式同乗者シートを有する車両等において、後席乗員である同乗者というを前席乗員であるライダーに対してしっかりと支持させておくことができるようにするための同乗者支持装置並びにライダーの後方へ密接して載置された物を支持するための載置物支持装置関する。
【背景技術】
【０００２】
自動２輪車等の跨座式車両において同乗者用シートを有する場合、前後席にライダーと同乗者がそれぞれ着席して走行するとき、同乗者はコーナリング時等で大きく振られないよう、ライダーの腰に抱きついて、前同乗者が一体化した状態で走行することがある。
また、前同乗者間の結合を維持するため、各腰部周囲をベルト等で巻くことにより相互に連結することも考えられる。
【発明の開示】
【発明が解決しようとする課題】
【０００３】
ところで、同乗者が子供などの場合は、上記のように長時間密着を維持しにくい。そこで何らかの拘束手段、例えば、前同乗者間の各腰部周囲をベルト等で巻くことにより相互に連結し、密着を強制的に維持することが考えられる。しかし、腰部をベルトで巻いても、同乗者の姿勢が左右へ揺動するなど大きく変化するときは上半身全体が動くため、余り有効な手段とはならない場合がある。そこで本願発明は、このような同乗者の大きな姿勢変化を効果的に予防することを目的にする。併せてライダーの後方へ密接して載置された物を容易かつ確実に支持するための支持装置の提供を目的とする。
【課題を解決するための手段】
【０００４】
上記課題を解決するため請求項１に係る同乗者支持装置の発明は、ライダー用の前席と同乗者用の跨座式後席を備えた車両における同乗者を支持するための装置において、前記ライダーと同乗者はそれぞれライーダー用装具と同乗者用装具を着用するとともに、ライーダー用装具の背面に同乗者用装具の上半身部分前面を密着させて支持するための上半身支持手段を備えたことを特徴とする。
【０００５】
請求項２の発明は、請求項１において、前記上半身支持手段が、ライーダー用装具の背面に設けられた雌雄いずれか一方の面ファスナーと、同乗者用装具の上半身部分前面に設けられたいずれか他方の面ファスナーとを備えることを特徴とする。
【０００６】
請求項３の発明は、請求項２において、前記ライーダー用装具と同乗者用装具の各腰部をベルト部材で連結したことを特徴とする。
【０００７】
請求項４の発明は、請求項１において、前記同乗者の少なくとも頭部を包む頭部支持部材を設け、その両端を前記ライーダー用装具と同乗者用装具に連結したことを特徴とする。
【０００８】
請求項５の発明は、請求項４において、前記頭部支持部材がネット状をなし、前記ライーダー用装具又は同乗者用装具のいずれか一方の背中に対して、予め一端が固定的に取付けられ、他端が係脱自在に取付けられていることを特徴とする。
【０００９】
請求項６の発明は、請求項１において、前記上半身支持手段は、前記同乗者用装具の腕部に設けた面ファスナーを備え、前記ライダー用装具の腰部側面を含む部分に設けられているいずれか他方の面ファスナーと係脱自在であることを特徴とする。
【００１０】
請求項７の発明は、ライダーの後方へ密接して載置された物を支持するための載置物支持装置において、ライダーが着用するライダー用装具の背面へ雌雄いずれか一方の面ファスナーを設けるとともに、前記載置される物に取付けられる載置物側支持部材にいずれか他方の面ファスナーを設け、この載置物側支持部材をライダー用装具の背面へ面ファスナーにより係脱自在に連結したことを特徴とする。
【発明の効果】
【００１１】
請求項１によれば、ライダー用装具の背面へ同乗者用用装具の上半部分前面を密着させて支持するための上半身支持手段を備えたので、同乗者の上半身が左右へ揺動するなどの大きな姿勢変化を阻止できる。したがって、子供や老人もしくは障害者等、大きな拘束力が望まれる同乗者の支持に有効である。
【００１２】
請求項２によれば、上半身支持手段を雌雄の面ファスナーで構成し、そのいずれか一方をライダー用装具の背面に設け、他方を同乗者用装具の上半身部分前面に設けることにより、同乗者がライダーの背面へ密着すると、この状態でライダー用装具と同乗者用装具の雌雄の面ファスナーが係合して結合し、ライダーの背面における広い面積で同乗者の上半身を連結支持するので、大きな姿勢変化を阻止できる。
【００１３】
請求項３によれば、面ファスナーで結合したライーダー用装具と同乗者用装具の各腰部間をさらにベルトで連結したので、より結合を強力にできる。
【００１４】
請求項４によれば、同乗者の少なくとも一部を包む頭部支持部材を用いて同乗者の少なくとも頭部を包み、かつ頭部支持部材の両端をライーダー用装具と同乗者用装具に連結する。これにより、同乗者の頭部をライダーの背面へ密着して結合させることができ、仮に同乗者が眠ってしまっても、頭部をガクガクと揺らすことなく、安定させることができる。
【００１５】
請求項５によれば、頭部支持部材がネット状をなし、ライーダー用装具又は同乗者用装具いずれか一方の背中へ予め一端を固定的に取付け、他端を係脱自在に取付けてておくので、使用時には他端の係合を解いて、ライーダー用装具又は同乗者用装具のいずれか他方側へ係合させれば簡単に取付けできる。また不使用時にはライーダー用装具又は同乗者用装具のいずれか一方側へ他端を係合しておくことにより、取り扱いが容易になる。
【００１６】
請求項６によれば、上半身支持手段が、同乗者用装具の腕部に設けた面ファスナーを備えるので、同乗者がライダーの腰の回りに抱きつくと、腕部の面ファスナーがライダー用装具の腰部側面を含む部分に設けられている面ファスナーと係合する。このため腕部でもしっかりライダー側と結合できるので、同乗時におけるライダーと同乗者の一体化がより強固になる。しかも腕が疲れた場合でも結合を維持できるので、強い結合を維持したままで長時間の同乗走行が可能になる。
【００１７】
請求項７によれば、ライダーの後方へ密接して載置された物に、予め雌雄いずれか一方の面ファスナーが設けられた載置物側支持部材を取付け、その面ファスナーをライダー用装具の背面に設けた面ファスナーへ係合させる。これによりライダー後方に載置された物はライダーと一体化されて容易かつ確実に支持される。しかも他の拘束部材でシート等の上へ拘束せず、もしくはより簡単な拘束の状態で走行可能になる。
【発明を実施するための最良の形態】
【００１８】
以下、図面に基づいて実施形態を説明する。図１〜５は第１実施例に係り、図１は上半身支持手段の使用状態を示す斜視図、図２はライダー側の連結部材を装着状態で前方側から示す図、図３は背面側を示す図である。図４は同乗者側の連結部材を装着状態で前方側から示す図、図５はその背面側を示す図、図６はネット部材の使用説明図である。
【００１９】
図１において、自動２輪車には同乗者シート１を備え、その前席にライダー２が着席し、後席には同乗者３が着席する。本例では、同乗者３は子供である。同乗者３はライダー２の腰に腕を回して抱きつくことにより上半身前面をライダー２の背面へ密着して一体化している。
【００２０】
ライダー２はライダー用装具の一例であるライダースーツ４，同乗者３は同乗者用装具の一例である同乗者スーツ５をそれぞれ着用している。ライダースーツ４の背面と同乗者スーツ５の上半身前面は、後述する上半身支持手段により結合一体化し、コーナリング時など車体が大きく傾いても、ライダー２と同乗者３はほぼ一体に姿勢を変化させることができる。
【００２１】
また、ライダー２と同乗者３の腰部には腰ベルト６により相互に連結されている。腰ベルト６は同乗者スーツ５と一体化されており、腰ベルト６の前端部に設けた連結部材７をライダースーツ４に設けた連結部材８に連結している。連結部材７はカナビラ等であり、連結部材８はこれが係合するリングである。但し、このようなものに限らず、連結部材７，８は種々の公知の手段を用いることができる。
【００２２】
符号９は同乗者ステップであり、同乗者３はここに足を置いて姿勢を保つ。ライダー２もライダー用ステップ（図示省略）により同様に足を支持する。
【００２３】
図２に示すように、ライダースーツ４は、ベスト型のスーツになっている。但し、長袖のライダースーツとすることは当然可能である。ライダースーツ４は引っ張り等の機械的特性に優れた公知の素材からなり、左右の肩部にはネット固定用フック１０がそれぞれ設けられている。ネット固定用フック１０は略門形の金具である。
【００２４】
腰部左右にも略門形をなすタンデムグリップ１１が設けられている。タンデムグリップ１１は同乗者３が握る部分であり、握ることができる程度の大きさと形になっている。
【００２５】
さらにタンデムグリップ１１の付け根部分近傍には、連結部材８が設けられている。ライダースーツ４は左右へ分離される前割れに構成され、上下方向へ多段に構成されたファスナー１２により結合される。
【００２６】
ファスナー１２はプラスチック製のワンタッチ式のもの等、公知のものを適宜使用できる。ファスナー１２はライダースーツ４の左右にベルト１３を介して取付けられ、長く調節を可能になっている。
【００２７】
ベルト１３の長さを適切に調節してファスナー１２を結合すると、ライダースーツ４の左右は確実に結合して閉じられ、ネット固定用フック１０，タンデムグリップ１１及びファスナー１２へ同乗者３側から力を加えられても、これに耐えることができ、同乗者３に支持の安心感を与える。
【００２８】
図３において、ライダースーツ４の背面１４には、そのほぼ全面に雌雄いずれか一方の面ファスナー１５が取付けられている。この背面１４は同乗者の結合に必要であるが、同乗者がいない場合は、広告等の適宜表示を着脱自在に取付けて走行することにより、街頭表示等を行うこともできる。
【００２９】
図４において、同乗者スーツ５は長袖のものであり、その上半身相当部前面１６には、そのほぼ全体に雌雄いずれか他方の面ファスナー１７が取付けられ、背面１４の面ファスナー１５とと面ファスナー１７が係合するようになっている。
【００３０】
同乗者スーツ５は前割れでチャック１８により開閉され、肩部から腕にかけてウレタンパッド等の緩衝パッド１９が設けられている。特に首回りの緩衝パッド１９はヘルメットの支持に役立ち、重くて大きいヘルメットに頭を振られやすい子供にとって有効である。同乗者スーツ５の素材は、ライダースーツ４と同様であり、形状も半袖等種々可能である。
【００３１】
図５において、同乗者スーツ５の背中部分２０の中央を横断して腰ベルト６の中間部が取付けられている。また、背中部分２０の中央上下には、ネット部材２１が取付けられている。ネット部材２１の上端部は、背中部分２０の上端部における首回り部分へ縫合等で固定的に取付けられる。ネット部材２１の下端部は、その左右に設けられたフック２３が、予め腰部の左右に設けられているフック金具２２へ係脱自在に係合することにより、ネット部材２１を背中部分２０の背面に取付け一体化されている。
【００３２】
図６においてＢに示すように、左右のフック２３をフック金具２２からはずすと、ネット部材２１を裏返して同乗者３の頭（ヘルメット２７）を後方から前方へ包む。ネット部材２１はある程度の強度があるものであれば素材は自由であるが、防水性があり、軽量なものが好ましい。
【００３３】
ネット部材２１の下端部２４はヘルメット２７の上方を通ってライダー２の肩部へ達するので、左右のフック２３をライダースーツ４のネット固定用フック１０へ係合させると、図のＣに示すように、同乗者３は頭（ヘルメット２７）がネット部材２１で包まれる。
【００３４】
走行後のネット部材不使用時には、図のＤに示すようにネット部材２１を元に戻すことができる。このとき、同乗者３が被っていたヘルメット２７をネット部材２１と同乗者スーツ５の背中部分２０との間へ入れて背中に保持することができる。
【００３５】
次に、作用を説明する。まず、ライダー２と同乗者３が同乗者シート１へ同乗したとき、同乗者３がライダー２の腰部前方へ手を伸ばしてライダースーツ４に設けたタンデムグリップ１１を握ると、同乗者３はライダー２の背中へ密着する。
【００３６】
このとき、同乗者３の同乗者スーツ５に設けた面ファスナー１７が、ライダー２のライダースーツ４における背面１４に設けた面ファスナー１５と密着係合するので、同乗者３は面ファスナー１５と面ファスナー１７によりライダー２の背面へ密着して結合され、同乗者３が単独でその上半身を左右へ揺らすような大きな姿勢変化をしにくくなる。また、同乗者３は上半身前面の広い範囲でライダー２の背面１４側へ密着支持されるので、上半身の支持が安定する。
【００３７】
そのうえ、必要ならば、腰ベルト６の両端を前方へ延ばしてその連結部材７をライダースーツ４の連結部材８へ係合すれば同乗者３は後方への動きも規制されるから、さらに面ファスナー１５と前面１６の係合を強力に維持する。
【００３８】
また、図６に示すように、同乗者３が眠ってしまう等、自力での姿勢保持がしにくい状態（Ａ）になると、Ｂに示すように、ネット部材２１を裏返してライダースーツ４のネット固定用フック１０へフック２３で係合する。これによりネット部材２１が同乗者３の頭２６を包んでライダー２の背中へ固定させて支持するので、重量の大きな頭２６がガクガクと揺動することを防ぐことができるから、同乗者３の頭の揺動等を気にせずに走行できる（Ｃ）。
【００３９】
しかも、走行後には、邪魔になりやすいヘルメット２７等をネット部材２１で背中に背負うことができるから、物品の保持手段としても便利である（Ｄ）。
このように、本実施例によれば、同乗者３の上半身をライダー２の背中へ密着させて結合できるから、同乗者３のみが不用意に大ききく姿勢変化することを阻止できるので、同乗走行が容易になる。
【００４０】
しかも、種々な走行状態及び同乗者３の状態に応じて、腰ベルト６による結合や、ネット部材２１による支持が可能になるから、さらに快適な走行ができる。したがって、子供や老人もしくは障害者等、走行中常時ライダー２と一体化しにくい者と同乗走行することが容易になった。
【００４１】
図７〜１０に第２実施例を示す。この実施例は同乗者の腕も結合できるようにしたものである。図７のＡはライダースーツ４を前方側から示す斜視図、図のＢは同乗者スーツ５を前方側から示す斜視図、図のＣは同乗者スーツ５を背面側から示す斜視図である。なお前実施例との共通部は共通符号を用いて重複説明を省略する。
【００４２】
図８はライダースーツ４について、Ａに正面図、Ｂに側面図、Ｃに背面図を示す。
これらの図及び前記図７のＡに示すように、このライダースーツ４もベスト型のスーツであり、背面１４のほぼ全面に雌雄いずれか一方の面ファスナー１５が取付けられている。但し、本例ではこの面ファスナー１５が腰の両側まで連続して形成された側方延長部１５ａをなしている。この側方延長部１５ａは脇の下の下方を通って前面側の左右まで若干回り込んで形成されている。
【００４３】
図９は同乗者スーツ５について、Ａに正面図、Ｂに側面図、Ｃに背面図をそれぞれ示す。これらの図及び前記図７のＢ、Ｃに示すように、この同乗者スーツ５は剣道の防具に類似した構造をなし、適当な緩衝材等からなるプロテクタとして形成された、胴部３０、前腕部３１及び上腕部３２を複数のベルトで連結したものである。胴部３０、前腕部３１及び上腕部３２の各表面には雌雄いずれか他方の面ファスナー１７が取付けられている。
【００４４】
ベルトは、腕部ベルト３３、肩ベルト３４、背面部ベルト３５及び腰部ベルト３６を備える。腕部ベルト３３は前腕部３１及び上腕部３２の各背面側をつないで肩ベルト３４へ接続する。 肩ベルト３４は胴部３０の左右両肩部に輪形状をなして設けられ、同乗者３の肩３ｃを入れるようになっている。背面部ベルト３５は背骨に沿って上下に配置され、上部側は左右の肩ベルト３４の背面側下端部と接続して略Ｙ字状をなしている。背面部ベルト３５の下部は幅広で略腹巻き状をした腰ベルト３６に接続し、腰ベルト３６の左右は胴部３０の下部左右へ連結されている。
【００４５】
この同乗者スーツ５は、図７のＢ、Ｃに示すように、胴部３０と腰ベルト３６の間に胴３ａを入れ、腕３ｂを前腕部３１及び上腕部３２並びに腕部ベルト３３の間に入れて肩ベルト３４を肩３ｃに掛けることにより簡単に身につけることができ、略逆手順で簡単に取り外すことができる。また図９のＣに示す調節金具３７によりベルトの長さを調節して体系に適合させることができる。
【００４６】
図１０は同乗状態を示し、同乗者３は腕３ｂをライダー２の腰へ回して抱きついている。このとき同乗者腕の位置は、ライダースーツ４の側方延長部１５ａに重なるから、前腕部３１及び上腕部３２の面ファスナー１７と側方延長部１５ａの面ファスナー１５が係合する。したがって同乗者３の腕３ｂがライダー２の腰回りへしっかりと連結されるため、ライダー２との一体化が増して、走行中の分離が生じにくくなる。また腕３ｂが疲れても面ファスナーにより結合を保つので長時間の同乗状態走行が可能になる。そのうえ、前実施例におけるような腰ベルト６による結合（図１）を省略でき、結合と分離が容易になる。なお、ライダー２の背面と胴部３０との面ファスナーによる結合は前実施例と同様である。
【００４７】
図１１は病人の搬送に使用する態様を示し、病人である同乗者３は第２実施例と同様の同乗者スーツ５を着用し、胴３ａと腕３ｂでライダー２と面ファスナーにより連結される。また頭２６は、第１実施例におけるネット部材２１（図６のＣ参照）でライダーの背中へ固定される。符号４０は点滴装置であり、必要により輸液しながら搬送する。このようにすると、同乗者３の腕３ｂがライダー２へ連結されているため、抱きつく力がないような病人でも十分に搬送可能になる。しかも頭２６のふらつきも生じない。しがって自動２輪車を救急車として利用することも可能になる。
【００４８】
図１２は第３実施例であり、この例では同乗者に代えて、動物や物品等の物をこれまで同様のライダースーツ４を着用したライダー２の後方へ載置して走行するときの支持装置に関する。なお、本願の対象とする載置される物とは、走行中はライダー２へ掴まっているようせよという命令を理解できないような幼児程度の理解力を欠く動物や、意思自体が存在しない物品を含むものとする。図示の場合は大型犬を示す。
【００４９】
犬などの勝手に動きやすい動物を同乗させる場合、この例では犬５０に腹巻き状等に形成した載置物側支持部材５１を装着し、その前面に設けた面ファスナー５２をライダー２が着用するライダースーツ４の背面に設けられている相手側面ファスナー１５へ係合させることにより容易かつ確実に一体化させて同乗走行を可能にする。また、図示のように前足をライダーの肩にかけるときは、前足とライダースーツの肩との間でも面ファスナーで結合させるようにしてもよい。さらに頭等、他の部分を結合させてもよい。
【００５０】
また、物品等をライダー２の後方となるシート上等へ置いた状態で走行するときも、物品の周囲を面ファスナーを有する上記犬の場合と同様な載置物側支持部材で被覆し、この載置物側支持部材をライダースーツの背面へ面ファスナーで結合することにより、ライダーと一体化して容易かつ確実に支持できる。しかも物品を他の拘束部材でシート等の上へ拘束せず、もしくはより簡単な拘束の状態で走行可能になる。このとき、載置物品に対する支持のより安定化を期すため、物品とシート等との間でも面ファスナー等で結合させることもできる。さらに、このようなシート等との載置もしくは結合は、前記各実施例等においても補助的に採用することができる。この場合、物品等の載置面における結合は、同乗者等の着座面における結合となる。
【００５１】
なお、本願発明は上記実施例に限定されず、種々に応用や変形が可能である。上半身支持手段は面ファスナー１５，面ファスナー１７に限らず、背面１４と前面１６が広範囲で係脱できるものであれば、種々の構造が可能である。
【００５２】
また、ライダー用装具及び同乗者用装具は、それぞれが着用できるものであれば、種々な形式が可能である。したがって、ライダースーツ４及び同乗者スーツ５は、それぞれベストやスーツ状の衣服形状を要さず、例えば、ゼッケン状にライダー２の背面１４及び同乗者３の前面１６へ取付けるようにしただけのものでもよい。さらに本願発明の適用する車両は同乗者用の後席が跨座式であれば足り、前席はスクータのように跨座式ではなくてもよい。また、第３実施例のように物を乗せる場合は、後席の存在有無は不問であり、ライダーの後ろに物を接して載置できるようになっている車両であれば足りる。
【図面の簡単な説明】
【００５３】
【図１】上半身支持手段の使用状態を示す斜視図
【図２】ライダー側の連結部材を装着状態で前方側から示す図
【図３】背面側を示す図
【図４】同乗者側の連結部材を装着状態で前方側から示す図
【図５】その背面側を示す図
【図６】ネット部材の使用方法を説明する図
【図７】第２実施例に係る使用状態を示す斜視図
【図８】同上におけるライダースーツを示す図
【図９】同上における同乗者スーツを示す図
【図１０】同上における走行状態を示す図
【図１１】同上における別の使用態様を示す図
【図１２】第３実施例同上における走行状態を示す図
【符号の説明】
【００５４】
１：同乗者シート、２：ライダー、３：同乗者、４：ライダースーツ、５：同乗者スーツ、６：腰ベルト、７：連結部材、８：連結部材、１０：ネット固定用フック、１１：タンデムグリップ、１２：ファスナー、１４：背面、１５：面ファスナー、１６：前面、１７：面ファスナー、２０：背中部分、２１：ネット部材、２２：フック金具、２３：フック、２４：下端部、２５：上端部、２６：頭、２７：ヘルメット、３０：胴部、３１：上腕部、３２：上腕部、３３：腕部ベルト、３４：肩部ベルト、３５：背面部ベルト、３６：腰部ベルト、４０：点滴装置、５０：犬、５１：載置物側支持部材
【図１】
2005036372.tif 000003
【図２】
2005036372.tif 000004
【図３】
2005036372.tif 000005
【図４】
2005036372.tif 000006
【図５】
2005036372.tif 000007
【図６】
2005036372.tif 000008
【図７】
2005036372.tif 000009
【図８】
2005036372.tif 000010
【図９】
2005036372.tif 000011
【図１０】
2005036372.tif 000012
【図１１】
2005036372.tif 000013
【図１２】
2005036372.tif 000014